(57)【要約】【課題】多周波数セルの周波数資源割り当て及び周波数情報報告の方法を提供することにある。【解決手段】本発明は、無線ネットコントローラが、周波数ごとにNode Bにおける一つの周波数処理モジュールIDを割り当て、Node Bが、受信した上記周波数処理モジュールIDに基づいて周波数ごとに一つの周波数処理モジュールを割り当てるステップと、無線ネットコントローラが、増加されたアシスタント周波数ごとに一つの周波数処理モジュールIDを割り当て、Node Bが、受信した前記周波数処理モジュールIDに基づいてアシスタント前記周波数ごとに一つの周波数処理モジュールを割り当てるステップと、Node Bが、無線ネットコントローラに発送したオーディット応答メッセージにおいて、対応する周波数処理モジュールIDを含む、一つ又は一つ以上の周波数処理モジュールの資源状態情報モジュールを含ませるステップと、Node Bが、無線ネットコントローラに発送した資源状態指示メッセージにおいて、対応する周波数処理モジュールIDを含む、一つ又は一つ以上の周波数処理モジュールの資源状態情報モジュールを含ませるステップとを含む。また、本発明は、多周波数セルシステムのセル設立、再割り当て過程、資源指示及びオーディット応答の過程において、周波数資源割り当て及び周波数資源状態情報報告を実現することができる。【選択図】図１
2008506323.tif 000002
【特許請求の範囲】
【請求項１】
多周波数セルの周波数資源割り当て及び周波数情報報告の方法であって、
無線ネットコントローラが、Node Bに発送したセル設立要求メッセージにより、周波数ごとにNode Bにおける一つの周波数処理モジュールIDを割り当ててローカルに記録し、Node Bが、受信した前記周波数処理モジュールIDに基づいて周波数ごとに一つの周波数処理モジュールを割り当てるステップ1、又/及び、
無線ネットコントローラが、Node Bに発送するセル再割り当て要求メッセージ中に、増加されたアシスタント周波数ごとに一つの周波数処理モジュールIDを割り当て、Node Bが、受信した前記周波数処理モジュールIDに基づいて前記アシスタント周波数ごとに一つの周波数処理モジュールを割り当てるステップ2と、
Node Bが、資源オーディット要求メッセージを受信した後に、無線ネットコントローラに発送したオーディット応答メッセージに、対応する周波数処理モジュールIDを含む、一つ又は一つ以上の周波数処理モジュールの資源状態情報モジュールを含ませるステップ3、又/及び、
Node Bが、無線ネットコントローラに発送した資源状態指示メッセージに、対応する周波数処理モジュールIDを含む、一つ又は一つ以上の周波数処理モジュールの資源状態情報モジュールを含ませるステップ4と、を含むことを特徴とする多周波数セルの周波数資源割り当て及び周波数情報報告の方法。
【請求項２】
請求項１において、
Node Bにおいて、前記各周波数処理モジュールIDが異なっていることを特徴とする多周波数セルの周波数資源割り当て及び周波数情報報告の方法。
【請求項３】
請求項1において、
前記セル設立要求メッセージには、さらにローカルセルIDを含み、
前記ローカルセルの前記各周波数処理モジュールIDが異なっていることを特徴とする多周波数セルの周波数資源割り当て及び周波数情報報告の方法。
【請求項４】
請求項1において、
前記オーディット応答メッセージ及び前記資源状態指示メッセージがローカルセル情報モジュール及びローカルセルIDを含み、
前記資源状態情報モジュールに含まれた周波数処理モジュールIDが前記ローカルセルの周波数処理モジュールIDであることを特徴とする多周波数セルの周波数資源割り当て及び周波数情報報告の方法。
【請求項５】
請求項1において、
前記オーディット応答メッセージ及び前記資源状態指示メッセージが、一つ又は一つ以上の周波数処理モジュールグループIDと、該周波数処理モジュールグループの情報モジュールと、を含むことを特徴とする多周波数セルの周波数資源割り当て及び周波数情報報告の方法。
【発明の詳細な説明】
【技術分野】
【０００１】
本発明は、無線通信方法、特に、時分割同期符号分割多元接続(TD-SCDMA)システムにおける多周波数セルの周波数資源（resource）割り当て及び周波数情報報告の方法に関する。
【背景技術】
【０００２】
時分割同期符号分割多元接続(TD-SCDMA)システムのノード（Node B）において、一つの周波数が特定の周波数処理資源に対応し、それらの周波数処理資源を組合せて周波数処理モジュールと称する。従来の単周波数セルシステムにおいて、一つの扇形区域中の一つの周波数が一つのセルと定義されたため、ノード（Node B）において、一つのセルが一つの特定の周波数処理資源のみに対応したことになる。一つのセルのノード（Node B）におけるロジック処理資源が、一つのローカルセル（Local Cell）と定義されたため、単周波数セルにおいて、ローカルセルが一つの周波数処理モジュールであるので、一つのローカルセルID（Local Cell ID）が該周波数処理モジュールIDである。
【０００３】
従来の単周波数セルシステムにおいて、Node Bが複数のローカルセルを含むことができる。無線ネットコントローラ（RNC）がセルに対して、セル設立要求メッセージ及びセル再割り当て要求メッセージにより資源割り当てを行う場合、ローカルセルごとに唯一のローカルセルIDが割り当てれば、該セルにNode Bにおける一つの周波数処理モジュールを割り当てることができる。同じように、複数のセルをサポートしているNode Bから、RNCに資源状態指示メッセージ及びオーディット（audit）応答情報を発送する場合、ローカルセルIDに基づいてそれぞれに各周波数処理モジュールの使用状態情報を発送すれば、各周波数の資源状態を指示することができる。
【０００４】
現在、マクロ区画容量について、市場に対応して区画容量を増加するために、多周波数セルシステムによってユーザ容量を増加させる。即ち、一つのセルは、マスタ周波数が一つのみあり、その他がアシスタント周波数である複数の周波数を含む。現在の規格及び提案において、ただ、一つの多周波数セルのNode Bにおける処理資源は、一つのローカルセル（複数の周波数処理モジュールを含む）であると定義されただけで、且つ一つのローカルセルIDが設けられた。但し、多周波数セル中の各周波数に対して、対応する周波数処理モジュール及びIDが定義されなかった。従って、多周波数セルシステムにおいて、一つの多周波数セルをNode Bに割り当てる場合、該多周波数セルに唯一のローカルセルIDを設けることにより、該多周波数セルの各周波数に一つの周波数処理モジュールを割り当てることができない。同じように、多周波数セルをサポートする一つのNode BからRNCに対し資源状態指示メッセージ及びオーディット応答メッセージを発送する場合、ローカルセルIDに基づいてローカルセルの資源状態情報を発送しても、異なる周波数処理モジュールの資源状態情報を区別することができない。即ち、従来の方法によれば、多周波数セルシステムにおけるセルの設立、セルの再割り当て、資源指示、及びオーディット応答を行う過程に、周波数資源割り当て及び周波数資源状態情報の報告を完成することができない。
【発明の開示】
【発明が解決しようとする課題】
【０００５】
本発明の目的は、多周波数セルシステムのセル設立及び再割り当ての過程において、周波数資源割り当てを実現し、資源指示及びオーディット応答の過程において、周波数資源状態情報報告を実現することができるように、多周波数セルの周波数資源割り当て及び周波数情報報告の方法を提供することにある。
【課題を解決するための手段】
【０００６】
本発明にかかる多周波数セルの周波数資源割り当て及び周波数情報報告の方法は、
無線ネットコントローラが、Node Bに発送するセル設立要求メッセージにより、周波数ごとにNode Bにおける一つの周波数処理モジュールIDを割り当ててローカルに記録し、Node Bが、受信した前記周波数処理モジュールIDに基づいて周波数ごとに一つの周波数処理モジュールを割り当てるステップと、
無線ネットコントローラが、Node Bに発送するセル再割り当て要求メッセージ中に、増加されたアシスタント周波数ごとに一つの周波数処理モジュールIDを割り当て、Node Bが、受信した、Node Bにおいて異なっている前記周波数処理モジュールIDに基づいて前記アシスタント周波数ごとに一つの前記周波数処理モジュールを割り当てるステップと、
Node Bが、資源オーディット要求メッセージを受信した後に、無線ネットコントローラに発送したオーディット応答メッセージにおいて、周波数処理モジュールIDを含む、各周波数処理モジュールの資源状態情報モジュールを含ませるステップと、
Node Bが、無線ネットコントローラに発送したオーディット応答メッセージに、周波数処理モジュールIDを含む、周波数処理モジュールの資源状態情報モジュールを含ませるステップ4と、を含むことを特徴とする。
【０００７】
また、Node Bにおいて、前記周波数処理モジュールIDが二つの状況になり、一つは、Node Bにおいて各周波数処理モジュールIDが異なっていること、もう一つは、異なるローカルセルにおける周波数処理モジュールIDが同一である可能性があるが、各周波数処理モジュールが特定する一つのローカルセルのみに属するため、一つのローカルセルの周波数処理モジュールIDが異なっており、また、一つのNode Bにおいて、各ローカルセルのローカルセルIDが異なっている。
【０００８】
さらに、前記オーディット応答メッセージ又は/及び資源状態指示メッセージが、ローカルセル情報モジュール及びローカルセルIDを含み、前記資源状態情報モジュールに含まれた周波数処理モジュールIDが前記ローカルセルの周波数処理モジュールIDである。
【０００９】
さらに、前記オーディット応答メッセージ又は/及び資源状態指示メッセージが、一つ又は一つ以上の周波数処理モジュールグループID及び該周波数処理モジュールグループの情報モジュールを含む。
【００１０】
以上によって、本発明は、多周波数セルには、セル及び複数の周波数にNode Bにおいて、それぞれ唯一の処理資源を割り当てる問題を解決し、多周波数セルシステム中のセル設立、セル再割り当て、資源指示及びオーディット応答過程において、周波数資源割り当て及び周波数資源状態情報の報告を実現することができる。
【発明を実施するための最良の形態】
【００１１】
本発明が周波数処理モジュールの概念を提案し、以下、本発明の具体的な実施の形態について、図面を参照しながら説明する。
【００１２】
実施例一
図１に示すように、本実施の形態に係る多周波数セルの周波数資源割り当て及び周波数情報報告の方法は、以下のステップを含む。
【００１３】
一、RNCが、Node Bに対しセル設立要求メッセージを発送することにより、周波数ごとにNode Bにおける周波数処理モジュールIDを割り当ててローカルに該IDを記録する。Node Bが、周波数処理モジュールIDに基づいて、各周波数に一つの周波数処理モジュールを割り当てる。
【００１４】
無線操作保守中心（OMC-R）には、セルのIDと、各周波数の周波数情報と、そのNode Bにおける周波数処理モジュールIDと、を含んでいるセルの関連情報を予め割り当てている。OMC-RがRNCによってセルの割り当てを行う場合、該セルの割り当て情報をRNCに発送する。
【００１５】
そして、セルを割り当てる過程において、周波数ごとにNode B における一つの周波数処理モジュールを割り当てるように、Node Bに対しセルの割り当て情報を含んでいるセル設立要求メッセージを発送する。該割り当て情報が、セルIDと、各周波数の周波数情報と、それに対応するNode Bにおける周波数処理モジュールIDとを含んでいる。そして、セルIDと、ローカルセルIDと、周波数及び周波数処理モジュールIDとの間の関連関係を保持するように、前記IDを RNC内に記録させる。
【００１６】
Node Bが、セル設立要求メッセージを受信すると、該情報中の周波数処理モジュールID及びNode Bに設けられた周波数処理モジュールIDと周波数処理モジュールとの対応関係により、セルの周波数ごとに周波数処理モジュールを割り当てる。
【００１７】
二、RNCが、Node Bに発送するセル再割り当て要求メッセージにおいて、増加されたアシスタント周波数ごとに周波数処理モジュールIDを割り当てる。Node Bが、増加された周波数処理モジュールIDに基づいて、該アシスタント周波数に一つの周波数処理モジュールを割り当てる。
【００１８】
一つのセルにおいて、一つのアシスタント周波数を増加する際に、OMC-Rに、該セルのIDと、該アシスタント周波数の周波数情報と、それに対応するNode B における周波数処理モジュールIDとを含んでいる該周波数の関連情報を割り当てる。OMC-RがRNCを用いてセルを再割り当てると、該アシスタント周波数の割り当て情報をRNCに発送する。
【００１９】
そして、RNCが、セルを再割り当てる過程において、増加された周波数にNode B における一つの周波数処理モジュールを割り当てるように、Node Bに対しセルの再割り当て情報を含んでいるセル再割り当て要求メッセージを発送する。該再割り当て情報が、セルIDと、増加された周波数の周波数情報と、それに対応するNode Bにおける周波数処理モジュールIDとを含んでいる。そして、セルIDと、周波数と、周波数処理モジュールIDとの関連関係を保持するように、前記IDを RNC内に記録させる。
【００２０】
Node Bはセル再割り当て要求メッセージを受信すると、該メッセージ中の周波数処理モジュールID及びNode Bに設けられた周波数処理モジュールIDと周波数処理モジュールとの対応関係により、該増加された周波数に対し一つの周波数処理モジュールを割り当てる。
【００２１】
三、Node Bが、資源オーディット要求メッセージを受信すると、RNCに発送するオーディット応答メッセージに各周波数処理モジュールの資源状態情報モジュールを含ませる。上記各資源状態情報モジュールに、対応する周波数処理モジュールIDを含む。
【００２２】
Node Bがオーディット要求情報を受信すると、RNCに対して、オーディット応答メッセージを発送し、Node B中の全ての周波数処理モジュールの状態情報を含む資源状態情報を報告する。周波数処理モジュールの状態情報が、周波数処理モジュールIDを含んでいる周波数処理モジュール資源状態情報モジュールとして報告する。
【００２３】
四、Node BがRNCに発送する資源状態指示メッセージに周波数処理モジュールの資源状態情報モジュールを含む場合、各資源状態情報モジュールに周波数処理モジュールIDを含んでいる。
【００２４】
Node Bが、その内部状態に基づき、RNCに対し資源状態指示メッセージを発送して周波数処理モジュールの状態を含む資源状態を報告する必要があると判定する場合、資源状態指示メッセージに周波数処理モジュールIDを含んでいる周波数処理モジュールを追加する必要がある。
【００２５】
ここで、上記のオーディット応答メッセージ、資源状態指示メッセージ、セル設立要求メッセージ、セル再割り当て情報及び相応する処理工程の順次が限定されていない。一定の順次により動作或いはお互いにトリガ関係を持っていると理解すべきではない。
【００２６】
上記セル設立要求メッセージ、セル再割り当て要求メッセージ、資源オーディット要求メッセージ及び資源状態指示メッセージが、RNCとNode Bの間のIubインタフェースにおけるNBAP(Node B応用部分)プロトコルにより定義された。本実施の形態において、Node Bにおけるローカルセルごとに唯一のローカルセルIDが割り当てられ、Node Bの周波数処理モジュールごとに周波数処理モジュールIDが割り当てられ、即ち、Node Bにおいて、該周波数処理モジュールIDが唯一なものであり、一つの周波数処理モジュールが一つのローカルセルのみに属する。このような全てのローカルセルと周波数処理モジュールとの関係をRNCとNode Bに記録している。
【００２７】
本実施の形態において、周波数に周波数処理モジュールを割り当てる場合、セル設立要求メッセージにおいて、ローカルセルID（Local Cell ID）含む必要がない。それは、多周波数セルにおいて、本当の処理実体が周波数モジュールであり、且つNode Bにおいて、該周波数処理モジュールIDが唯一なものであるため、ローカルセルIDが必要ではないである。
【００２８】
本実施の形態に関わる周波数処理資源割り当てと従来技術との相違を説明するために、表１がRNCからNode Bに発送されたセル設立情報中の内容の一部分を示している。
【００２９】
【表１】
2008506323.tif 000003
【００３０】
本実施の形態にローカルセルID(Local Cell ID)を設ける目的は、周波数に周波数処理モジュールを割り当てるために必須ではなく、従来のシステムと相容することである。
【００３１】
このように、本実施の形態のセル設立要求メッセージにおいて、一つのロジックIDであるセルIDと、ローカルセルIDとを含んでいる。周波数（マスク周波数とアシスタント周波数とを含む）ごとに周波数ID（RARFCN）を割り当てると共に、該周波数に対応する周波数処理モジュールIDを割り当てした。また、これらの割り当てはRNCに記録する必要もある。
【００３２】
セル再割り当て要求メッセージにおいて、増加された各アシスタント周波数に対して、周波数IDを割り当てるとともに、周波数処理モジュールIDをも割り当てるべきである。
【００３３】
表2に示すように、オーディット応答メッセージ又は資源状態指示メッセージにおいて、本実施の形態はローカルセル情報モジュール及びそのIDを含んでいなく、直接に周波数処理モジュール資源状態情報モジュールを用い、該周波数処理モジュール資源状態情報モジュールが周波数処理モジュール情報エレメント（Frequency Process Module Information IE(Information Element)）と略称される。そして、周波数処理モジュール情報エレメントごとに該周波数処理モジュールIDを含んでいる。周波数処理モジュール情報エレメント中の資源状態情報モジュールは、従来規格のローカルセル情報モジュール中の資源状態情報モジュールの定義と同一である。例えば、ダウンリンク又はグローバル容量クレジット情報エレメント（DL or Global Capacity Credit IE）、アップリンクグローバル容量クレジット情報エレメント（UL Capacity Credit IE）、共通チャネル容量コンサンプション規則エレメント（Common Channels Capacity Consumption Law IE）、専用チャネル容量コンサンプション規則情報エレメント（Dedicated Channels Capacity Consumption Law IE）、最大ダウンリンク発射電力容量情報エレメント（Maximum DL Power Capability IE）、最小ダウンリンク発射電力容量情報エレメント（Minimum DL Power Capability IE）、最小スプレッド係数情報エレメント（Minimum Spreading Factor IE）等。
【００３４】
また、ローカルセルグループID（複数のローカルセルがある資源を共用すること）を周波数処理モジュールグループIDに交換すると共に、ローカルセルグループ情報モジュールを周波数処理モジュールグループ情報エレメントに交換する。そして、周波数処理モジュールグループ情報エレメント中のその他の情報エレメントは、従来規格のローカルセルグループ情報モジュール中のその他の情報モジュールと同一である。
【００３５】
本実施の形態における周波数資源状態情報報告と従来技術との相違を説明するために、表２はオーディット応答メッセージ又は資源状態指示メッセージ中の一部分の内容を示している。
【００３６】
【表２】
2008506323.tif 000004
【００３７】
実施例二
本実施の形態の周波数資源割り当て及び周波数資源状態情報報告の方法のステップは、実施例一と同一であるが、関連メッセージの具体内容が実施例一とは異なっている。
【００３８】
本実施の形態において、多周波数セルがNode Bにおける処理資源は現在の規則（NBAPプロトコル）中の定義を用い続けている。即ち、一つの多周波数セルのNode Bにおける処理資源（複数の周波数処理モジュールを含む）が、一つのローカルセルと定義され、一つのローカルセルIDが割り当てられた。同時に、Node Bにおいて、一つの周波数処理モジュールが一つの特定のローカルセルのみに属し、且つ周波数処理モジュールごとに一つの周波数処理モジュールIDが割り当てられた。ローカルセルにおいて、該周波数処理モジュールIDが唯一なものであるが、異なるローカルセルが同一の周波数処理モジュールIDを用いることができる。
【００３９】
セル設立及び再割り当て要求メッセージの内容は実施例一とは同一である。
【００４０】
本実施の形態における周波数資源状態情報報告と従来技術との相違を説明するために、表３はオーディット応答メッセージ又は資源状態指示メッセージ中の一部分の内容を示している。
【００４１】
【表３】
2008506323.tif 000005
【００４２】
上記の表に示すように、本実施の形態におけるオーディット応答メッセージ又は資源状態指示メッセージ中において、ローカルセル情報モジュールにローカルセルIDを保留し、複数の該ローカルセルに属する周波数処理モジュール資源状態情報モジュール（周波数処理モジュール情報エレメントと略称する）を増加した。各周波数処理モジュール情報エレメントが該周波数処理モジュールIDを含んでいる。周波数処理モジュール情報エレメント中の資源状態情報モジュールは従来規則中のローカルセル情報モジュール中の資源状態情報モジュールの定義と同一である。例えば、ダウンリンク又はグローバル容量クレジット情報エレメント（DL or Global Capacity Credit IE）、アップリンク容量クレジット情報エレメント（UL Capacity Credit IE）、共通チャネル容量コンサンプション規則情報エレメント（Common Channels Capacity Consumption Law IE）、専用チャネル容量コンサンプション規則情報モエレメント（Dedicated Channels Capacity Consumption Law IE）、最大ダウンリンク電力容量情報エレメント（Maximum DL Power Capability IE）、最小ダウンリンク電力容量情報エレメント（Minimum DL Power Capability IE）、最小スプレッド係数情報エレメント（Minimum Spreading Factor IE）等。
【００４３】
また、ローカルセルグループID（複数のローカルセルがある資源を共用すること）を周波数処理モジュールグループIDに交換すると共に、ローカルセルグループ情報モジュールを周波数処理モジュールグループ情報エレメントに交換する。そして、周波数処理モジュールグループ情報エレメント中のその他の情報エレメントは、従来規格のローカルセルグループ情報モジュールのその他の情報モジュールと同一である。
【００４４】
実施例三
本実施の形態の周波数資源割り当て及び周波数資源状態情報報告の方法のステップは、実施例一と同一であるが、関連メッセージの具体内容が実施例一とは異なっている。
【００４５】
本実施の形態において、多周波数セルのNode Bにおける処理資源は現在の規則（NBAPプロトコル）中の定義を用い続けている。即ち、一つの多周波数セルのNode Bにおける処理資源（複数の周波数処理モジュールを含む）が、一つのローカルセルと定義され、且つ一つのローカルセルIDが割り当てられた。同時に、Node Bにおいて、一つの周波数処理モジュールが一つの特定のローカルセルのみに属し、且つ周波数処理モジュールごとに一つの周波数処理モジュールIDが割り当てられた。該周波数処理モジュールIDが所属したローカルセルにおいて、唯一なものであるが、異なるローカルセルが同一の周波数処理モジュールIDを用いることができる。
【００４６】
セル設立及び再割り当て要求情報の内容は実施例一とは同一である。
【００４７】
本実施の形態における周波数資源状態情報報告と従来技術との相違を説明するために、表４はオーディット応答メッセージ又は資源状態指示メッセージ中の一部分の内容を示している。
【００４８】
【表４】
2008506323.tif 000006
【００４９】
上記の表に示すように、ローカルセル情報モジュール中の状態情報が該ローカルセル中の一つの周波数処理モジュールの状態情報に所属することを示すために、本実施の形態におけるオーディット応答メッセージ又は資源状態指示メッセージ中において、ローカルセル情報モジュールにローカルセルIDを保留し、周波数処理モジュールID情報モジュールを増加した。その中には、周波数処理モジュールID情報エレメント中の資源状態情報モジュールは従来規則中のローカルセル情報モジュール中の資源状態情報モジュールの定義と同一である。例えば、ダウンリンク又はグローバル容量クレジット情報エレメント（DL or Global Capacity Credit IE）、アップリンク容量クレジット情報エレメント（UL Capacity Credit IE）、共通チャネル容量コンサンプション規則情報エレメント（Common Channels Capacity Consumption Law IE）、専用チャネル容量コンサンプション規則情報エレメント（Dedicated Channels Capacity Consumption Law IE）、最大ダウンリンク発射電力容量情報エレメント（Maximum DL Power Capability IE）、最小ダウンリンク発射電力容量情報エレメント（Minimum DL Power Capability IE）、最小スプレッド係数情報エレメント（Minimum Spreading Factor IE）等。
【００５０】
上記のように、本発明は、多周波数セルシステムにおけるセル設立要求メッセージ及びセル再割り当て要求メッセージに、周波数処理モジュールIDを含ませ、オーディット応答メッセージ又は資源状態指示メッセージ中に周波数処理モジュールの資源状態情報モジュールを定義し、且つ周波数処理モジュールの資源状態情報モジュール中に周波数処理モジュールIDを含ませることにより、周波数資源割り当て及び周波数資源状態情報の報告を実現する。
【００５１】
なお、上述した実施の形態はただ本発明を説明するためのものであるが、本発明に記載された技術方案を限定しない。従って、本発明について、上述の各実施の形態を参照しながら詳しく説明したが、本発明に対する変形や変更ができ、本発明の要旨を逸脱しない範囲で、当業者が該実施形態の修正や代用を成し得ることが自明である。
【図面の簡単な説明】
【００５２】
【図１】本発明を適用した実施の形態に係る方法における情報発送ステップを示す図である。
【図１】
2008506323.tif 000007
【国際調査報告】
2008506323.tif 000008
2008506323.tif 000009
2008506323.tif 000010
2008506323.tif 000011